(57)【要約】【課題】記録されている膨大なシーンの中から所望のシーンを容易に選択できるようにする。【解決手段】シーンの情報に応じて前記シーンをグループ化するグループ化手段と、前記グループ化手段によりグループ化されたシーングループに基づいて階層的なメニュー画面情報を生成するメニュー画面情報生成手段と、前記記録媒体をファイナライズするファイナライズ手段とを設け、前記ファイナライズ手段は、前記記録媒体をファイナライズする際に、前記階層的なメニュー画面情報を作成して前記記録媒体に記録するようにして、記録媒体をファイナライズする際に、シーンの情報に応じて前記シーンをグループ化するとともに、前記グループ化されたシーングループに基づいて階層的なメニュー画面情報を作成して記録媒体に記録するようにする。【選択図】図１
2008016097.tif 000002
【特許請求の範囲】
【請求項１】
撮影して生成した画像信号をデジタル化して画像データを生成し、前記生成した画像データを１回の撮影単位であるシーンで記録媒体に記録するとともに管理する動画像記録再生装置であって、
前記シーンの情報に応じて前記シーンをグループ化するグループ化手段と、
前記グループ化手段によりグループ化されたシーングループに基づいて階層的なメニュー画面情報を生成するメニュー画面情報生成手段と、
前記記録媒体に対するファイナライズ処理を実行するファイナライズ手段とを有し、
前記ファイナライズ手段は、前記記録媒体をファイナライズ処理する際に、前記メニュー画面生成手段により生成された前記階層的なメニュー画面情報を前記記録媒体に記録することを特徴とする動画像記録再生装置。
【請求項２】
前記グループ化手段は、前記グループ化を複数のグループ化方法によって行うことが可能に構成されていて、前記複数のグループ化方法の中から１つのグループ化方法を選択してグループ化することを特徴とする請求項１に記載の動画像記録再生装置。
【請求項３】
前記グループ化手段は、前記記録媒体に記録されているシーンの記録時刻に応じてグループ化を行うことを特徴とする請求項２に記載の動画像記録再生装置。
【請求項４】
前記グループ化手段は、前記記録媒体に記録されているシーンの記録時間に応じてグループ化を行うことを特徴とする請求項２に記載の動画像記録再生装置。
【請求項５】
前記グループ化手段は、前記記録媒体に記録されている各シーンにおいて、前のシーンとの時間間隔に応じてグループ化を行うことを特徴とする請求項２に記載の動画像記録再生装置。
【請求項６】
前記グループ化手段は、前記記録媒体に記録されているシーンの記録モードに応じてグループ化を行うことを特徴とする請求項２に記載の動画像記録再生装置。
【請求項７】
前記ファイナライズ手段は、ＤＶＤ−Ｖｉｄｅｏ規格の再生装置との再生互換を可能にするための処理を行うことを特徴とする請求項１〜６の何れか１項に記載の動画像記録再生装置。
【請求項８】
撮影して生成した画像信号をデジタル化して画像データを生成し、前記生成した画像データを１回の撮影単位であるシーンで記録媒体に記録するとともに管理する動画像記録再生方法であって、
前記シーンの情報に応じて前記シーンをグループ化するグループ化工程と、
前記グループ化工程においてグループ化されたシーングループに基づいて階層的なメニュー画面情報を生成するメニュー画面情報生成工程と、
前記記録媒体に対するファイナライズ処理を実行するファイナライズ工程とを有し、
前記ファイナライズ工程においては、前記記録媒体をファイナライズ処理する際に、前記メニュー画面生成工程において生成された前記階層的なメニュー画面情報を前記記録媒体に記録することを特徴とする動画像記録再生方法。
【請求項９】
前記グループ化工程においては、前記グループ化を複数のグループ化方法によって行うことが可能に構成されていて、前記複数のグループ化方法の中から１つのグループ化方法を選択してグループ化することを特徴とする請求項８に記載の動画像記録再生方法。
【請求項１０】
前記グループ化工程においては、前記記録媒体に記録されているシーンの記録時刻に応じてグループ化を行うことを特徴とする請求項９に記載の動画像記録再生方法。
【請求項１１】
前記グループ化工程においては、前記記録媒体に記録されているシーンの記録時間に応じてグループ化を行うことを特徴とする請求項９に記載の動画像記録再生方法。
【請求項１２】
前記グループ化工程においては、前記記録媒体に記録されている各シーンにおいて、前のシーンとの時間間隔に応じてグループ化を行うことを特徴とする請求項９に記載の動画像記録再生方法。
【請求項１３】
前記グループ化工程においては、前記記録媒体に記録されているシーンの記録モードに応じてグループ化を行うことを特徴とする請求項９に記載の動画像記録再生方法。
【請求項１４】
前記ファイナライズ工程においては、ＤＶＤ−Ｖｉｄｅｏ規格の再生装置との再生互換を可能にするための処理を行うことを特徴とする請求項８〜１３の何れか１項に記載の動画像記録再生方法。
【請求項１５】
撮影して生成した画像信号をデジタル化して画像データを生成し、前記生成した画像データを１回の撮影単位であるシーンで記録媒体に記録するとともに管理する動画像記録再生方法をコンピュータに実行させるプログラムであって、
前記シーンの情報に応じて前記シーンをグループ化するグループ化工程と、
前記グループ化工程においてグループ化されたシーングループに基づいて階層的なメニュー画面情報を生成するメニュー画面情報生成工程と、
前記記録媒体に対するファイナライズ処理を実行するファイナライズ工程とを有し、
前記ファイナライズ工程においては、前記記録媒体をファイナライズ処理する際に、前記メニュー画面生成工程において生成された前記階層的なメニュー画面情報を前記記録媒体に記録する動画像記録再生方法をコンピュータに実行させることを特徴とするプログラム。
【請求項１６】
請求項１５に記載のプログラムを記録したことを特徴とするコンピュータ読み取り可能な記録媒体。
【発明の詳細な説明】
【技術分野】
【０００１】
本発明は動画像記録再生装置及び動画像記録再生方法に関し、特に、複数の動画像の中から所望のシーンを容易に選択できるようにするために用いて好適な技術に関する。
【背景技術】
【０００２】
近年、映像データや音声データを記録する記録媒体として光ディスクが注目されている。光ディスクの一つの規格として採用されているものとして、ＤＶＤ−Ｖｉｄｅｏ規格がある。このＤＶＤ−Ｖｉｄｅｏ規格は、映画などのコンテンツ商品のメディアとして採用されていて、ＤＶＤ−Ｖｉｄｅｏ規格に準拠したディスクは、ＤＶＤ−Ｖｉｄｅｏ再生装置により再生することができる。
【０００３】
一方、このような光ディスクの利用範囲を拡大して、ユーザ側で記録を行うことができるようにした光ディスクも用いられるようになっている。例えば、同一領域について一度だけ記録を可能とした追記型のＤＶＤ−Ｒディスクや、繰り返し書き換え可能なＤＶＤ−ＲＷディスクなどが知られている。
【０００４】
これらのＤＶＤ−ＲやＤＶＤ−ＲＷでは、残容量がある限り追記または書き換えによってその記録内容を更新することができるようになっている。しかし、この更新可能な状態のままでは、ＤＶＤ−Ｖｉｄｅｏ規格に準拠せず、前述のＤＶＤ−Ｖｉｄｅｏ再生装置における再生に適さない。そこで、ＤＶＤ−ＲやＤＶＤ−ＲＷにおける記録形式がＤＶＤ−Ｖｉｄｅｏ規格に準拠するように、所定の情報を書き込む必要がある。これをファイナライズ処理と呼んでいる。
【０００５】
また、従来磁気テープメディアに記録していたビデオカメラも、ランダムアクセス性などのユーザの利便性が高いことから、前述のＤＶＤ−ＲやＤＶＤ−ＲＷなどのような光ディスクに記録する機器が開発されている。
【０００６】
ＤＶＤ−Ｖｉｄｅｏ規格では、記録されている映像、音声データをチャプター、或いは、１以上のチャプターからなるタイトルという単位で管理している。一つのタイトルは最大で９９のチャプターで構成され、一つのディスクには最大で９９のタイトルを記録することができる。
そして、前述のようにＤＶＤ−ＲやＤＶＤ−ＲＷに対して映像や音声を記録するビデオカメラにおいては、記録開始から記録終了までの１回の撮影時間は数秒〜数十秒と短いため、一つのシーンをタイトルではなく、チャプターとして記録することが考えられている。このように、ビデオカメラによって記録されたディスクがファイナライズ処理されると、トップメニューにはチャプターを選択するメニューが表示される（特許文献１参照）。
【０００７】
【特許文献１】特開２００１−３２６９１０号公報（図４）
【発明の開示】
【発明が解決しようとする課題】
【０００８】
しかしながら、ビデオカメラの撮影では記録開始から記録終了までの１回の記録単位（チャプター）が数十秒程度と短いことも多い。このため、ファイナライズ処理後の光ディスクを、ＤＶＤ−Ｖｉｄｅｏ再生装置によって再生する場合、前述のような従来のトップメニューを表示したのでは、チャプターの数が膨大になり過ぎてしまう。その結果、ユーザが所望のシーン（チャプター）を選択することが非常に困難になってしまうという課題があった。
【０００９】
本発明は前述の問題点にかんがみ、記録されている膨大なシーンの中から所望のシーンを容易に選択できるようにすることを目的とする。
【課題を解決するための手段】
【００１０】
本発明の動画像記録再生装置は、撮影して生成した画像信号をデジタル化して画像データを生成し、前記生成した画像データを１回の撮影単位であるシーンで記録媒体に記録するとともに管理する動画像記録再生装置であって、前記シーンの情報に応じて前記シーンをグループ化するグループ化手段と、前記グループ化手段によりグループ化されたシーングループに基づいて階層的なメニュー画面情報を生成するメニュー画面情報生成手段と、前記記録媒体に対するファイナライズ処理を実行するファイナライズ手段とを有し、前記ファイナライズ手段は、前記記録媒体をファイナライズ処理する際に、前記メニュー画面生成手段により生成された前記階層的なメニュー画面情報を前記記録媒体に記録することを特徴とする。
【００１１】
本発明の動画像記録再生方法は、撮影して生成した画像信号をデジタル化して画像データを生成し、前記生成した画像データを１回の撮影単位であるシーンで記録媒体に記録するとともに管理する動画像記録再生方法であって、前記シーンの情報に応じて前記シーンをグループ化するグループ化工程と、前記グループ化工程においてグループ化されたシーングループに基づいて階層的なメニュー画面情報を生成するメニュー画面情報生成工程と、前記記録媒体に対するファイナライズ処理を実行するファイナライズ工程とを有し、前記ファイナライズ工程においては、前記記録媒体をファイナライズ処理する際に、前記メニュー画面生成工程において生成された前記階層的なメニュー画面情報を前記記録媒体に記録することを特徴とする。
【００１２】
本発明のプログラムは、撮影して生成した画像信号をデジタル化して画像データを生成し、前記生成した画像データを１回の撮影単位であるシーンで記録媒体に記録するとともに管理する動画像記録再生方法をコンピュータに実行させるプログラムであって、前記シーンの情報に応じて前記シーンをグループ化するグループ化工程と、前記グループ化工程においてグループ化されたシーングループに基づいて階層的なメニュー画面情報を生成するメニュー画面情報生成工程と、前記記録媒体に対するファイナライズ処理を実行するファイナライズ工程とを有し、前記ファイナライズ工程においては、前記記録媒体をファイナライズ処理する際に、前記メニュー画面生成工程において生成された前記階層的なメニュー画面情報を前記記録媒体に記録する動画像記録再生方法をコンピュータに実行させることを特徴とする。
【発明の効果】
【００１３】
本発明によれば、記録媒体をファイナライズする際に、シーンの情報に応じて前記シーンをグループ化するとともに、前記グループ化されたシーングループに基づいて階層的なメニュー画面情報を作成して記録媒体に記録するようにしたので、前記記録媒体に記録されている多数の記録シーンの中から所望のシーンを容易に選択することが可能な動画像記録再生装置を提供することができる。
また、本発明の他の特徴によれば、本発明にかかる動画像記録再生装置によって記録された記録媒体を他の再生装置よって再生する場合においても、前記記録媒体に記録されている多数の記録シーンの中から所望のシーンを容易に選択することができる。
【発明を実施するための最良の形態】
【００１４】
（第１の実施形態）
図１は、本発明の第１の実施形態に係る動画像記録再生装置の構成を示すブロック図である。
図１に示したように、本実施形態の動画像記録再生装置は、レンズやCCD等のカメラ部を含む撮像部１０１、符号化部１０２及び記録部１０３を有しており、撮像した動画像を記録媒体１０４に記録する。
【００１５】
また、再生部１０５、復号化部１０６、表示部１０７等の再生系回路を有しており、記録媒体１０４に記録された動画像データを再生して表示部１０７に表示することができるようにしている。
【００１６】
また、再生部１０５により再生された画像データ中から所定のシーンを取得するシーン情報取得部１０８、グループ化部１０９、メニュー生成部１１０等のメニュー生成系回路が構成されている。
【００１７】
また、本実施形態の動画像記録再生装置は操作部１１１を備えており、操作部１１１に設けられているユーザが操作キーを操作することにより入力される情報により記録動作及び再生動作が行われるように構成されている。また、本実施形態の動画像記録再生装置においては、各構成部の動作は制御回路１００によって制御されるようになされている。  
【００１８】
すなわち、この制御回路１００は装置全体の動作制御を司るものであり、操作部１１１を含む操作部からの必要に応じたユーザからの指示によっても、装置全体の動作制御を行うようになされている。
【００１９】
次に、図７のフローチャートを参照しながら記録時に行われる動画像記録再生装置の動作を説明する。
前述したように、撮像部１０１は撮像素子（ＣＣＤ）等から構成されており、撮像した被写体像に対応した動画像信号を生成して出力する（ステップＳ７１）。符号化部１０２は撮像部１０１から出力される動画像信号をＭＰＥＧ形式に従って符号化する（ステップＳ７２）。
【００２０】
ここで、符号化部１０２の動作の概略を説明する。入力映像は複数のブロックに分割されてブロックごとに符号化処理される。符号化処理する際に、符号化対象のフレームのピクチャタイプがIピクチャの場合は動き補償は行わず、Pピクチャの場合は過去のフレームとの動きベクトルを求めて、過去のフレームの該当部分との画素値の差分を算出し動き補償を行う。
【００２１】
また、符号化対象のフレームのピクチャタイプがBピクチャの場合は過去のフレームおよび未来のフレームとの動きベクトルを求めて、前記Pピクチャの場合と同様に動き補償を行う。前記データは直行変換（DCT）した後、符号量制御のために算出した量子化係数で量子化（Q）し、可変長符号化（VLC）し、符号化データが出力される。
【００２２】
記録部１０３は符号化部１０２から出力される符号化された画像信号を記録信号に変換し、記録媒体１０４へデータを記録する。本実施形態のビデオカメラにおいては、ユーザ操作によって記録開始されてから記録終了するまでの１回の記録単位がチャプターとして管理されている。前記チャプターの撮影日時や記録モードなどの記録情報をチャプターの画像データと関連付けて記録媒体１０４へ記録する（ステップＳ７３）。
【００２３】
次に、図８のフローチャートを参照しながら再生時の動作を説明する。
シーン情報取得部１０８は、再生部１０５を経由して記録媒体１０４から、記録媒体に記録されている全チャプターの記録情報を取得する（ステップＳ８１）。ここで取得した全チャプターの記録情報は、グループ化部１０９へ入力される。
【００２４】
本実施形態のグループ化部１０９は、入力された全チャプターの記録日時を調べ、グループ化する際の階層を決定する。例えば、全てのチャプターの記録年が同一であれば'年'の階層グループは不要と決定する。あるいは、全てのチャプターの記録年が同一でなければ'年'の階層グループを生成すると決定する。
【００２５】
以下同様に、'月'、'日'、についても、前記'年'階層グループと同様に、それぞれの階層グループが不要か必要かを決定していく。そして、階層グループが必要と決定された階層グループのみで階層を形成して、全チャプターを階層に当てはめていく。記録媒体１０４に記録されているチャプターが図２（ａ）のようになっていたとすると、階層は図２（ｂ）のように形成される（ステップＳ８２）。前記形成された階層は、表示部１０７へ入力されＬＣＤなどの表示装置により構成される表示部１０７に表示される（ステップＳ８３）。ＬＣＤの表示例を図３に示した。
【００２６】
図３（ａ）は、'年'階層の選択画面であり、枠で囲まれた'２００４'を選択している例である。図３（ｂ）は前記'２００４'を選択した後の'月'階層の選択画面であり、ここでは、'２００４／５'を選択している。図３（ｃ）は'日'階層の選択画面であり、ここでは、'２００４／５／６'を選択している。図３（ｄ）はチャプター選択画面であり、ここで選択されたチャプターが再生される。ユーザは、ＬＣＤの表示を見ながら階層グループを選択していくことで、所望のチャプターを選択（ステップＳ８４）して再生する（ステップＳ８５）。
【００２７】
操作部１１１に配設されている操作キーを操作することによってユーザがグループ化の方法を選択変更すると、グループ化部１０９は前記選択されたグループ化方法によってグループ化を再度実行して表示部１０７へ再グループ化の結果を出力することができる。
【００２８】
例えば、図２（ｂ）のような前記グループ化方法では、２００５年の'日'階層が存在していないが、最上位の階層のみ必要か不要かを決定し、それ以下の階層は無条件に生成するという方法がある。図４は、この様に各チャプターを分類した場合の階層構成を示す図である。また、チャプター間の時間間隔が短い場合に、それらのチャプターをまとめて１つのチャプターとして扱ってもよい（図３（ｅ））。また、図５に示すように、記録モードでグループ化するなどするようにしてもよい。
【００２９】
ユーザによってチャプターが選択されると、選択されたチャプターが記録されているアドレスを制御回路１００が取得する。そして、制御回路１００が再生部１０５を制御することによって、選択されたチャプターの画像データを再生し、前記再生された画像データは復号化部１０６へ入力されて復号化されたあと、表示部１０７によって表示される。
【００３０】
ユーザ操作により、ファイナライズ処理が選択されると、メニュー生成部１１０は前記再生時の動作で説明したグループ化部１０９がグループ化した、記録媒体に記録されているチャプターのグループ化情報を入力する。ユーザはファイナライズ時に生成するグループ化方法を選択することが可能である。再生時のチャプター選択用のグループ化方法と前記ファイナライズ時に生成するグループ化方法とが異なる場合は、グループ化部１０９は前記再生時の動作の説明と同様に再グループ化を行う。
【００３１】
また、ユーザがファイナライズ指示を出す時点で未だグループ化が完了していない場合には、前記再生時の動作の説明と同様に、記録媒体１０４からチャプターの記録情報を再生するところからグループ化の実行を行う。メニュー生成部１１０は入力されたグループ化情報に応じて、再生時にチャプターを選択するユーザインターフェイスと同様な、階層的に選択可能なメニュー画面情報を生成して記録部１０３へ出力する。記録部１０３は前記メニュー画面を記録媒体１０４へ記録した後、ファイナライズ処理を行う。
【００３２】
次に、ファイナライズ処理について、図６を参照しながら説明する。
図６は、光ディスクを半径方向に切り出した概略図であり、ユーザーデータが映像データを記録する領域である。ファイナライズ処理は、図６（ｂ）のように、ユーザーデータの内周側のリードイン領域、ユーザーデータの外周側のリードアウト領域に、所定のデータを記録することにより実行される。
【００３３】
ただし、リードアウト領域は、内周から所定トラック数以上光ディスクの外周側になければならない。このため、ユーザーデータが記録済みのトラックが所定トラック数に満たない場合には、リードアウト領域が所定トラック以上外周側に記録されるように、ダミーデータが記録される（図６（ｃ））。
【００３４】
次に、図９のフローチャートを参照しながら、本実施形態の動画像記録再生装置で画像データを記録した記録媒体１０４をファイナライズ処理手順の一例を説明する。
図９に示したように、処理が開始されると最初のステップＳ９１においてファイナライズ処理する指示がユーザにより行われたか否かを判断する。この判断の結果、ユーザによりファイナライズ処理する指示がなければ待機する。
【００３５】
ステップＳ９１の判断の結果、ファイナライズ処理する指示が行われた場合にはステップＳ９２に進み、前記再生時の動作で説明したグループ化部１０９がグループ化した、記録媒体１０４に記録されているチャプターのグループ化情報を表示部１０７に表示する。これにより、ファイナライズ時に生成するグループ化方法をユーザ選択することが可能となる。
【００３６】
次に、ステップＳ９３において、ユーザが選択したグループ化方法が再生時のチャプター選択用のグループ化方法と同じであるか否かを判断する。この判断の結果、再生時のチャプター選択用のグループ化方法と前記ファイナライズ時に生成するグループ化方法とが異なる場合は、ステップＳ９４に進んでグループ化部１０９により再グループ化を行う。この再グループ化処理は、前述した再生時の動作の説明と同様に行う。
【００３７】
再グループ化処理を終了したらステップＳ９５に進む。また、ステップＳ９３の判断の結果、再生時のチャプター選択用のグループ化方法とファイナライズ時に生成するグループ化方法とが同じ場合には、ステップＳ９４をジャンプしてステップＳ９５に直接進む。
【００３８】
ステップＳ９５においては、階層的に選択可能なメニュー画面情報をメニュー生成部１１０により生成する。
次に、ステップＳ９６に進み、ステップＳ９５で生成された階層的に選択可能なメニュー画面情報を記録部１０３により記録媒体１０４へ記録する。
次に、ステップＳ９７において、記録部１０３は、メニュー画面情報を記録媒体１０４へ記録した後、ＤＶＤ−Ｖｉｄｅｏ規格に準拠するようにするための情報を書き込んでファイナライズ処理を行う。
【００３９】
前述のように、本実施形態においては動画像記録再生装置で記録した記録媒体１０４をファイナライズ処理をする際に、階層的に選択可能なメニュー画面情報を記録部１０３により記録媒体１０４へ記録するようにした。これにより、本実施形態の動画像記録再生装置で記録した記録媒体１０４をＤＶＤ−Ｖｉｄｅｏ再生装置で再生した場合でも、本実施形態の動画像記録再生装置で再生したときと同様に、階層的なチャプター選択を行うことが可能となる。
【００４０】
（本発明に係る他の実施形態）
前述した本発明の実施形態における動画像記録再生装置を構成する各手段、並びに動画像記録再生方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４２】
なお、本発明は、前述した実施形態の機能を実現するソフトウェアのプログラム（実施形態では図７〜図９に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４４】
その場合、プログラムの機能を有していれば、オブジェクトコード、インタプリタにより実行されるプログラム、ＯＳに供給するスクリプトデータ等の形態であってもよい。
【００４５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００４６】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００４９】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５１】
【図１】本発明の第１の実施形態を示し、動画像記録再生装置の構成例を説明するブロック図である。
【図２】チャプターの第１のグループ化方法を説明するための図である。
【図３】チャプター選択画面の表示例を示す図である。
【図４】チャプターの第２のグループ化方法を説明するための図である。
【図５】チャプターの第３のグループ化方法を説明するための図である。
【図６】ファイナライズ処理の内容を説明するための図である。
【図７】記録処理の手順の一例を説明するフローチャートである。
【図８】再生処理の手順の一例を説明するフローチャートである。
【図９】ファイナライズ処理の手順の一例を説明するフローチャートである。
【符号の説明】
【００５２】
１００  制御回路
１０１  撮像部
１０２  符号化部
１０３  記録部
１０４  記録媒体
１０５  再生部
１０６  復号化部
１０７  表示部
１０８  シーン情報取得部
１０９  グループ化部
１１０  メニュー生成部
１１１  操作部
【図１】
2008016097.tif 000003
【図２】
2008016097.tif 000004
【図３】
2008016097.tif 000005
【図４】
2008016097.tif 000006
【図５】
2008016097.tif 000007
【図６】
2008016097.tif 000008
【図７】
2008016097.tif 000009
【図８】
2008016097.tif 000010
【図９】
2008016097.tif 000011